(57)【要約】【課題】画像取得方法および装置において、利用者の顔画像および利用者の手に属する生体情報を取得する際に、簡単な構成ですりかわりを防止する。【解決手段】画像取得装置１０は、利用者１４の顔１５および利用者１４の手１７を、同一撮影手段の同一視野内に同時に配置した状態で撮影する。これにより、利用者１４の顔画像、および指紋等の利用者１４の手に属する生体情報を取得する。【選択図】図１
2007141018.tif 000002
【特許請求の範囲】
【請求項１】
利用者の顔および前記利用者の手を、同一撮影手段の同一視野内に同時に配置して撮影することにより、前記利用者の顔画像および前記利用者の手に属する生体情報を取得することを特徴とする画像取得方法。
【請求項２】
利用者の顔画像および前記利用者の手に属する生体情報を取得する画像取得装置において、
同一視野内に配置された前記利用者の顔および前記利用者の手を、同時に撮影する撮影手段を備えたことを特徴とする画像取得装置。
【請求項３】
前記撮影手段は、前記利用者の顔の両側に前記利用者の手が配置された状態で撮影することを特徴とする請求項２記載の画像取得装置。
【請求項４】
前記撮影手段により撮影される画像を表示する表示手段をさらに備え、
前記表示手段は、撮影に適した顔および手の位置を指定するガイド画像も表示することを特徴とする請求項２または３記載の画像取得装置。
【請求項５】
前記利用者の手の一部を拡大した画像を形成する拡大画像形成手段をさらに備えることを特徴とする請求項２または３記載の画像取得装置。
【発明の詳細な説明】
【技術分野】
【０００１】
本発明は、主として身分証明書や磁気カードなどの個人に帰属する書札等に添付する画像を取得する画像取得方法および装置に関するものであり、より詳細には利用者の顔画像の取得に加え、利用者の手に属する生体情報を取得する機能を有する画像取得方法および装置に関するものである。
【背景技術】
【０００２】
現在、街頭には、カメラにより被写体の撮影を行う無人の画像取得装置が設置されている。このように取得された画像は、写真プリント紙や、普通紙、シール紙等に印刷されて利用者に提供され、例えば免許証等の個人認証書類に使用される。
【０００３】
また、近年では、個人認証に、セキュリティ性の高い指紋等の生体情報が利用されている。特許文献１および特許文献２には、指紋データの取得が可能な携帯情報機器が記載されており、これらの機器は、装備された撮像装置により指紋データの取得が可能である。
【０００４】
さらに、特許文献３には、顔画像の撮影および指紋データ等の生体情報の取得が可能な画像取得装置が記載されている。この装置では、利用者がすりかわることを防止するために、顔画像と生体情報を取得する際に、利用者の顔を含む監視画像を撮影するようにしている。
【特許文献１】特開２００４−２１６１７号公報
【特許文献２】特開２００１−２７３４９８号公報
【特許文献３】特開２００５−１９６３８８号公報
【発明の開示】
【発明が解決しようとする課題】
【０００５】
しかしながら、特許文献３に記載の装置は、監視画像によるすりかわり防止の効果は期待できるものの、監視画像を取得するための装置および監視画像を保存・管理するための装置の構成が必要である。また、顔画像の撮影および指紋データの取得に必要な装置はそれぞれ個別に設けられているため、全体の装置構成が複雑になる。
【０００６】
特許文献１および特許文献２に記載の携帯機器は、手軽に指紋データの取得が可能であり、装置構成も簡単であるが、顔画像を取得するものではなく、利用者のすりかわりを防ぐことはできない。
【０００７】
本発明は、上記の事情に鑑みてなされたものであり、利用者の顔画像および前記利用者の手に属する生体情報を取得する際に、簡単な装置構成ですりかわりを防止可能な画像取得方法および装置を提供することを目的とするものである。
【課題を解決するための手段】
【０００８】
本発明の画像取得方法は、利用者の顔および前記利用者の手を、同一撮影手段の同一視野内に同時に配置して撮影することにより、前記利用者の顔画像および前記利用者の手に属する生体情報を取得することを特徴とするものである。
【０００９】
本発明の画像取得装置は、利用者の顔画像および前記利用者の手に属する生体情報を取得する画像取得装置において、同一視野内に配置された前記利用者の顔および前記利用者の手を、同時に撮影する撮影手段を備えたことを特徴とするものである。
【００１０】
前記撮影手段は、前記利用者の顔の両側に前記利用者の手が配置された状態で撮影するように構成してもよい。
【００１１】
また、前記撮影手段により撮影される画像を表示する表示手段をさらに備え、前記表示手段は、撮影に適した顔および手の位置を指定するガイド画像も表示するように構成してもよい。
【００１２】
さらに、前記利用者の手の一部を拡大した画像を形成する拡大画像形成手段をさらに備えるように構成してもよい。
【００１３】
なお、ここで「手」とは、手首から先の部分、前腕および上腕を合わせた身体の部分をいう。
【００１４】
また、ここで「手に属する生体情報」とは、例えば、指紋、嘗紋、嘗形等の手に属する生体情報のことである。
【発明の効果】
【００１５】
本発明の画像取得方法および装置は、同一撮影手段で利用者の顔および手を撮影して、利用者の顔画像および手に属する生体情報の両方を取得するため、顔画像撮影装置および生体情報取得装置を個別に設ける必要がなく、装置構成を簡単にできる。また、利用者の顔および手を、同一視野内に同時に配置して撮影するため、顔だけ、手だけを他人のものにすりかえることはできず、確実にすりかわりを防止できる。これにより、すりかわり防止用の監視画像取得装置、監視画像保存装置等を設ける必要がなくなり、装置構成を簡単にできる。
【００１６】
また、従来の顔画像と生体情報を個別に取得する装置では、利用者は取得作業を２度しなければならず煩雑であったが、本発明では、顔および手を同時に撮影して顔画像および生体情報を取得するため、一度の取得作業でよく、利用者の負担を軽減することができる。
【００１７】
ここで、利用者の顔の両側に利用者の手が配置された状態で撮影するようにすれば、顔と手を空間効率よく同一視野内に配置して、必要な撮影視野を小さくできるため、撮影手段の構成が容易になる。
【００１８】
また、撮影される画像を表示する表示手段をさらに備え、この表示手段は、撮影に適した顔および手の位置を指定するガイド画像も表示するようにすれば、利用者はガイド画像に合わせて好適な撮影位置に顔および手を容易に配置することができる。
【００１９】
さらに、利用者の手の一部を拡大した画像を形成する拡大画像形成手段をさらに備えるようにすれば、より詳細な画像が得られ、より精密な手に属する生体情報を取得できる。
【発明を実施するための最良の形態】
【００２０】
以下、図面を参照して本発明の第１の実施の形態である画像取得装置および方法について説明する。図１は本発明の第１の実施形態である画像取得装置１０の概略構成図である。画像取得装置１０は、利用者の顔および手を、同一撮影手段の同一視野内に同時に配置して撮影することにより、利用者の顔画像および手に属する生体情報を取得する装置であり、取得された顔画像を写真として印刷する機能も有する。なお、以下の説明では、手に属する生体情報として、指紋を取得する場合を例にとり説明する。画像取得装置１０は、全体的に直方体の筐体を有し、大きさは高さ２．０ｍ、幅１．４ｍ程度である。一例として、図２に装置１０の外観を示す。
【００２１】
図１に示すように、装置１０は幅７５ｃｍ程度の撮影室１２を含み、撮影室１２の内部に高さ調節機能（不図示）を有する椅子１６が設けられている。利用者１４は椅子１６に座り、顔１５の両側に手１７を配置して、顔１５と両手のひらを利用者１４の正面に向けた姿勢（以下、この姿勢を撮影姿勢という）をとり、撮影を行う。
【００２２】
画像取得装置１０は撮影室１２以外の部分が上段１８と、中段２０と、机部２１を有する下段２２とに分かれている。中段２０には撮影手段であるデジタルカメラ２４と、コントローラ３３とが設置されている。コントローラ３３は、デジタルカメラ２４の制御を含む、画像取得装置１０全体の動作を制御するとともに、画像処理等の各種処理を行うものである。
【００２３】
デジタルカメラ２４は、高い分解能を有する高解像度カメラである。デジタルカメラ２４のレンズの鉛直方向の画角αは、撮影姿勢をとった利用者１４の頭頂部から肘までが同一視野内に入る大きさであり、水平方向の画角も、撮影姿勢をとった利用者１４の顔１５両側に配置された両方の手１７が同一視野内に入る大きさである。これにより、利用者１４の顔だけ、あるいは手だけのすりかわりを防止できる。
【００２４】
上段１８には照明装置２５、ＣＲＴディスプレイ２６およびスピーカ２９が配置されている。照明装置２５、ＣＲＴディスプレイ２６およびスピーカ２９はコントローラ３３に接続されている。照明装置２５は撮影に十分な明るさを保つために撮影室１２を照らす照明であり、スピーカ２９は利用者１４に対して操作指示を音声により伝える装置である。
【００２５】
ＣＲＴディスプレイ２６は、デジタルカメラ２４により撮影されてコントローラ３３から出力される動画像および静止画像を表示可能な表示手段である。ＣＲＴディスプレイ２６の表示画面３０は下方向に向けられていて、その表示内容は、上段１８と中段２０との間の中空な境界面３２を通して、中段２０のハーフミラー３４に投影される。デジタルカメラ２４と利用者１４との間に配置された傾斜したハーフミラー３４によれば、ＣＲＴディスプレイ２６および撮影室１２からの光の一部は相互に反射される。
【００２６】
一方、撮影室１２からの光の一部は透過してデジタルカメラ２４に向かうが、デジタルカメラ２４側からの光は遮断され、撮影室１２に届かない。したがって、利用者１４は、ガラス窓３５を通してハーフミラー３４上の投影内容を確認できるが、デジタルカメラ２４は利用者１４からは見えない。しかし、撮影室１２からハーフミラー３４を透過してデジタルカメラ２４に到達する光によって、デジタルカメラ２４は利用者１４の画像を撮影可能である。
【００２７】
図３に撮影姿勢の利用者１４をデジタルカメラ２４で撮影して、ＣＲＴディスプレイ２６に表示した画像７０の例を示す。図３に示すように、ＣＲＴディスプレイ２６には、デジタルカメラ２４により撮影された利用者１４の顔１５および両方の手１７の画像とともに、撮影に適した顔１５および手１７の位置を指定する枠状のガイド画像７１、７２も表示される。画像取得装置１０は、ガイド画像７１の枠内に顔を位置させ、ガイド画像７２の枠内に手のひらを位置させると、好適な撮影条件となり、良好な顔画像および指紋データを取得できるように設計されている。
【００２８】
デジタルカメラ２４で撮影された顔１５および手１７の静止画像はコントローラ３３に出力され、コントローラ３３で公知の画像認識技術により、顔画像と手の画像が抽出され、さらに手の画像から指紋データが抽出される。ガイド画像７１、７２により画像内における顔１５および手１７の位置を確定できるため、画像認識処理における顔画像と手の画像の抽出がより容易になる。
【００２９】
撮影室１２の床面には、顔画像および手１７の静止画像の取得を指示するフットボタン４０が設けられており、利用者１４が足でフットボタン４０を足で押下げることにより、顔画像および手１７の静止画像が取得される。
【００３０】
下段２２には、操作用のタッチパネル４１と、カードライタ４２と、プリンタ４３と、モデム４４とが設けられている。操作用のタッチパネル４１と、カードライタ４２と、プリンタ４３と、モデム４４とはコントローラ３３に接続されている。なお、操作用のタッチパネル４１と、カードライタ４２とは、机部２１に収容されている。
【００３１】
タッチパネル４１は、利用者１４の操作に基づく信号をコントローラ３３に出力する装置である。タッチパネル４１は、利用者の名前や、住民票コード番号あるいはパスポート番号等の個人情報を入力する情報入力画面と、利用者による操作を入力する操作入力画面とを切り換えて表示可能である。情報入力画面では、キーボードが表示され、操作入力画面では、処理の続行を確認する確認ボタンや、選択的処理についてその処理を選択させる選択ボタン等が表示される。
【００３２】
カードライタ４２は、利用者１４の持参する記録媒体５１用の挿入口５２を有し、挿入された媒体に書き込み可能な装置である。記録媒体５１としては、フレキシブルディスク、スマートメディア（登録商標）、コンパクトフラッシュ（登録商標）、メモリースティック（登録商標）、ＳＤ（Ｓｅｃｕｒｅ  Ｄｉｇｉｔａｌ）メモリカード（登録商標）、ｘＤ（Ｅｘｔｒｅｍｅ  Ｄｉｇｉｔａｌ）ピクチャーカード（登録商標）等を用いることができる。
【００３３】
カードライタ４２は、取得された顔のデジタル画像データおよび指紋データを、記録媒体５１に書き込む。
【００３４】
プリンタ４３は、デジタルカメラ２４の撮影した画像を写真としてプリント可能である。プリントされた写真は、排出口５３から排出される。
【００３５】
モデム４４は、利用者が希望する場合には、利用者の顔のデジタル画像データまた指紋データを通信回線６２を介して所定の拠点、例えば管理センター６６へ転送する転送手段である。
【００３６】
コントローラ３３では、顔画像データ、指紋データ、利用者の個人情報を対応付けて保存する。コントローラ３３では、これらにさらに、画像取得装置１０の固有識別番号、撮影日時データを対応付けて、保存することもできる。また、コントローラ３３で、上記の対応付けがされたデータを、モデム４４および通信回線６２を介して遠方の管理センター６６に送信することもできる。
【００３７】
なお、図１では図示の便宜上、装置１０の上段１８、中段２０および下段２２の内部を可視化して示しているが、実際は、タッチパネル４１、カードライタ４２の挿入口５２およびプリンタ４３の排出口５３以外は、壁によって隠されていて、利用者１４からは見えない。また、下段２２は、実際はさらに、料金投入口や返金口などの機構も備えているが、これらは図示を省略している。
【００３８】
図４は図１のデジタルカメラ２４およびコントローラ３３の機能ブロック図である。光学レンズ８０は被写体である利用者１４からの光を受けて被写体像を撮像部８１の受光面へ結像する。撮像部８１としては、例えば、ＣＣＤ（Ｃｈａｒｇｅ  Ｃｏｕｐｌｅｄ  Ｄｅｖｉｃｅ）を使用可能である。撮像部８１で光電変換された画像信号はビデオ出力部８２に出力される。
【００３９】
ビデオ出力部８２は、通常、撮像部８１からの画像信号をそのまま出力端子を介してＣＲＴディスプレイ２６に送る。したがって、利用者１４の動画像は、デジタルカメラ２４に取り込まれて出力され、ＣＲＴディスプレイ２６に表示され、ハーフミラー３４によって反射されて利用者１４へ帰還する。このように動画像をそのまま利用者へ帰還させることを、以下、ビデオスルーと称する。利用者１４は、撮影前は、ビデオスルーにより、帰還した自己の動画像をリアルタイムに見ることができる。
【００４０】
撮像部８１から出力される画像信号は、Ａ／Ｄ変換器（Ａｎａｌｏｇｕｅ／Ｄｉｇｉｔａｌ  Ｃｏｎｖｅｒｔｅｒ；  ＡＤＣ）８３にも出力可能である。顔画像の撮影時には、Ａ／Ｄ変換器８３は、アナログ信号である画像信号をデジタル画像信号に変換し、メモリ８４へ保存する。
【００４１】
ＣＰＵ（Ｃｅｎｔｒａｌ  Ｐｒｏｃｅｓｓｉｎｇ  Ｕｎｉｔ）８５は、Ａ／Ｄ変換器８３、メモリ８４およびＤ／Ａ変換機（Ｄｉｇｉｔａｌ／Ａｎａｌｏｇｕｅ  Ｃｏｎｖｅｒｔｅｒ；  ＤＡＣ）８６に接続され、これらのユニットを制御する。撮影時には、ＣＰＵ８５は、Ａ／Ｄ変換器８３へ変換命令を発信し、動画像信号を１フレーム単位でＡ／Ｄ変換させる。ＣＰＵ８５は、デジタル化されメモリ８４に記録されたデジタル画像信号を取り込み、様々な画像処理を行って、メモリ８４に再格納することが可能である。
【００４２】
ＣＰＵ８５は、撮影された画像から、エッジ検出等の公知の画像認識技術を用いて、顔画像と手の画像を抽出し、画像処理を行い、手の画像から所定の指の指紋データを抽出する。また、ＣＰＵ８５は、デジタルカメラ２４で撮影後画像処理されて取得された指紋データが個人認証に利用可能な指紋データであるか否かを判定し、利用可能なデータであると判定したときには、その指紋データをメモリ８４へ指紋データとして保存する。
【００４３】
ＣＰＵ８５は、デジタルカメラ２４で取得された利用者１４の顔画像データおよび指紋データに、タッチパネル４１から入力された個人情報データ、例えば、利用者の名前や、住民票コード番号あるいはパスポート番号等を対応付ける。また、ＣＰＵ８５は、画像取得装置１０の固有識別番号および撮影日時データも対応付ける。
【００４４】
対応付けはあらゆる方法で行ってよく、例えば個人情報データを用いて顔画像データに名前を付けることができる。あるいはテキストデータをデジタル画像データのヘッダ部分に記録して、一体的に扱い、メモリ８４に格納してもよい。このようにしてデジタル画像データに対応付けられた個人情報データによって、「誰に帰属するデータか」の識別が可能なデジタル画像データを作成することができる。
【００４５】
ＣＰＵ８５は、画像処理を行ったデジタル静止画像を出力し、Ｄ／Ａ変換機８６によりＤ／Ａ変換を行ってビデオ出力部８２に送ることができる。このとき、ビデオ出力部８２を制御し、ビデオスルーされているアナログ動画像信号に代えて、アナログ化された静止画像信号出力させることができる。これにより、撮影され、画像処理が施された静止画像を利用者に示すことができる。また、アナログ静止画像信号および動画像信号はカラーおよび白黒のいずれの形式でも出力することができる。
【００４６】
ＣＰＵ８５は、画像処理を施した撮影画像を自由にレイアウトしてＣＲＴディスプレイ２６に表示させることができる。また、画像の出力とともに、メモリ８４に予め用意された複数の静止画像をコマ送りに表示して簡単なアニメーションをＣＲＴディスプレイ２６に表示させることもできる。さらに、ビデオ出力部８２を介した自由なグラフィック出力が可能であり、利用者１４に対するメッセージをＣＲＴディスプレイ２６に表示させることができる。
【００４７】
ＣＰＵ８５はスピーカ２９にも接続され、予め用意された音声信号をスピーカ２９へ出力し、各動作に適合した操作指示を利用者１４に対して音声で指示可能である。
【００４８】
ＣＰＵ８５はプリンタ４３およびタッチパネル４１にも接続されている。画像処理を施された静止画像は、ＣＰＵ８５から、プリント命令とともにプリンタ４３へ出力することにより、写真としてプリント可能である。また、ＣＰＵ８５はタッチパネル４１からの操作命令を受信し、利用者１４の操作に従った処理を行う。
【００４９】
ＣＰＵ８５はさらに、ＲＯＭ（Ｒｅａｄ  Ｏｎｌｙ  Ｍｅｍｏｒｙ）８７に接続されている。ＲＯＭ８７は、少なくとも、複数の画像処理プログラムと、証明写真の要求仕様と、指紋認証の要求仕様とを記録する。証明写真の要求仕様は、少なくとも、プリントすべき写真のサイズ、および当該写真における頭部の大きさおよび位置に関する情報を含む。指紋認証の要求仕様は、少なくとも、指紋データを取得する指、および指紋認証に必要な特徴点に関する情報を含む。ＣＰＵ８５は、ＲＯＭ８７にアクセスし、各種プログラムと写真の要求仕様とを、適宜読み込み、メモリ８４から取り込んだ静止顔画像に対して、要求仕様に適合した写真を作成するための画像処理、および指紋データを取得するための画像処理を行う。
【００５０】
以上のように構成された本実施の形態による画像取得装置１０の動作を以下説明する。図５は本実施の形態による画像取得装置１０の動作を説明するフローチャートである。本実施の形態の動作はすべて、スピーカ２９の音声メッセージに促されて行われる。利用者１４は、まず料金を投入する（ステップ１００）。これにより画像取得装置１０が起動する。次に記録媒体５１をカードライター４２挿入口５２へ挿入する（ステップ１０１）。その後情報入力画面（キーボード）が表示されているタッチパネル４１から氏名、住民票コードなどの個人情報を入力する（ステップ１０２）。
【００５１】
この後、デジタルカメラ２４で撮像している利用者の顔１５および手１７の動画像を、ビデオスルーによりＣＲＴディスプレイ２６に表示する（ステップ１０３）。なおタッチパネル４１は操作入力画面に切り換えられる。利用者１４は撮影姿勢をとり、ＣＲＴディスプレイ２６に表示されている自身の画像を観察しながら、必要に応じ、椅子１６の高さを調節し、ガイド画像７１内に顔１５が位置し、ガイド画像７２内に手のひらが位置するようにして、所望のタイミングでフットボタン４０を押下げる（ステップ１０４）。この動作により、デジタルカメラ２４により顔１５および手１７の静止画像が取得され、コントローラ３３では上述の画像処理動作により顔画像と所定の指の指紋データを取得する（ステップ１０５）。
【００５２】
コントローラ３３は、得られた指紋データから特徴点を抽出し、指紋認証に必要な特徴点が揃っているか否か、すなわち得られた指紋データが、指紋認証に利用可能なデータであるか否かを判定する（ステップ１０６）。得られた指紋データが、指紋認証に利用可能なデータではないと判定された場合には、ステップ１０４へ戻り、利用者へデータの再取得を促す。得られた指紋データが、指紋認証に利用可能なデータであると判定された場合には、取得された顔画像と指紋データを表示する（ステップ１０７）。
【００５３】
コントローラ３３は、顔画像データ、指紋データ、利用者の名前や、住民票コード番号あるいはパスポート番号等の個人情報、画像取得装置１０の固有識別番号、撮影日時データの情報を対応付けて、メモリ８４へ保存する（ステップ１０８）。コントローラ３３は、カードライタ４２の挿入口５２に挿入されている記録媒体５１へ、ステップ１０８で対応付けされた上記情報を書き込む（ステップ１０９）。
【００５４】
なお、利用者が希望する場合には、対応付けされた上記情報を通信回線６２を介して所定の拠点、例えば管理センター６６へ転送してもよいし、あるいはプリントアウトしてもよい。また、コントローラ３３は、対応付けされた上記情報を、所定期間保存してもよい。
【００５５】
以上の説明で明らかなように、本発明の第１の実施の形態である画像取得装置１０は、デジタルカメラ２４で顔画像および指紋データの両方を取得するため、顔画像撮影装置と指紋データ取得装置を個別に設ける必要がなく、装置構成を簡単にできる。また、利用者の顔および手を、デジタルカメラ２４の同一視野内に同時に配置して撮影するため、顔だけ、手だけを他人とすりかえることはできず、すりかわりを確実に防止できる。これにより、すりかわり防止用の監視画像取得装置および監視画像保存等を設ける必要がなくなり、装置構成を簡単にできる。
【００５６】
また、従来の顔画像と指紋データを個別に取得する装置では、利用者は取得作業を２度しなければならず煩雑であったが、本実施の形態の画像取得装置１０では、顔および手を同時に撮影して顔画像および指紋データを取得するため、一度の取得作業でよく、利用者の負担を軽減できる。
【００５７】
また、指紋データを取得すべき所定の指の指紋を取得する際、指１本だけの画像を取得するような装置では、利用者が指を間違えることがあった。これに対して、本実施の形態の画像取得装置１０では、両手の全ての指の画像を取得した後、画像取得装置１０が所望の指を自動的に認識して、その指の指紋を取得するため、取得すべき指の指紋を容易に確実に取得できる。
【００５８】
さらに、本実施の形態の画像取得装置１０では、非接触で指紋データを取得できるため、接触式の指紋取得装置で発生する接触面の汚れや、他人が接触した接触面に触れたくないという利用者の心理的な不快感や嫌悪感の問題を解決できる。
【００５９】
次に、図６を参照しながら本発明の第２の実施の形態である画像取得装置１１０について説明する。第２の実施の形態の画像取得装置１１０は、第１の実施の形態の画像取得装置１０に、利用者１４の手１７の一部を拡大した画像を形成する拡大画像形成手段である拡大部１１２を追加した点が基本的に異なり、以下、この点に注目して説明する。なお、図６および以下の説明では、第１の実施の形態の画像取得装置１０と同等の要素については同番号を付し、特に必要のない限りその説明は省略する。
【００６０】
画像取得装置１１０は、背面壁２７からアーム１１１を介して延設され、撮影姿勢をとった利用者１４の両方の手のひらを覆うように配置された２つの拡大部１１２を備える。拡大部１１２は、図７に示すように、略箱状の外形を有し、その底面には利用者１４の指を挿入可能な穴１１３が設けられ、デジタルカメラ２４に向かう面には指の拡大画像を形成する拡大レンズ１１４が設けられている。なお、図６では穴１１３および拡大レンズ１１４の図示は省略しており、図７では拡大レンズ１１４は概念的に図示されている。
【００６１】
利用者１４は撮影姿勢をとるとき、拡大部１１２の穴１１３に指を挿入し、拡大レンズ１１４に指紋面を向ける。拡大レンズ１１４により指紋の拡大画像が形成される。本実施の形態では、拡大部１１２により、撮影に好適な手の位置をほぼ指定できるため、第１の実施の形態におけるガイド画像７２の表示や、ガイド画像７２による位置合わせは必要としない。上記点以外は、本実施の形態における動作は、第１の実施の形態と同様であるため、本実施の形態の動作の説明は省略する。
【００６２】
以上より、第２の実施の形態の画像取得装置１１０は、第１の実施の形態と同様の効果が得られる上に、拡大部１１２により指の拡大画像を形成することができ、第１の実施の形態に比べて、より詳細な指紋の画像が得られ、より精密な指紋データを取得できる。
【図面の簡単な説明】
【００６３】
【図１】本発明の第１の実施の形態による画像取得装置の概略構成図
【図２】図１に示す画像取得装置の外観図
【図３】図１に示す画像取得装置の表示画面例
【図４】図１に示す画像取得装置の要部の機能ブロック図
【図５】図１に示す画像取得装置の動作を説明するフローチャート
【図６】本発明の第２の実施の形態による画像取得装置の概略構成図
【図７】図６に示す画像取得装置の拡大部の概略構成図
【符号の説明】
【００６４】
１０、１１０    画像取得装置
１４    利用者
１５    顔
１７    手
２４    デジタルカメラ
２６    ＣＲＴディスプレイ
３３    コントローラ
４１    タッチパネル
４３    プリンタ
５３    排出口
６２    通信回線
６６    管理センター
８１    撮像部
８４    メモリ
８５    ＣＰＵ
１１２    拡大部
１１４    拡大レンズ
【図１】
2007141018.tif 000003
【図２】
2007141018.tif 000004
【図３】
2007141018.tif 000005
【図４】
2007141018.tif 000006
【図５】
2007141018.tif 000007
【図６】
2007141018.tif 000008
【図７】
2007141018.tif 000009